(57)【要約】      （修正有）【課題】隣家やインターホン子機の近くにいる来訪者以外の人物に、住宅内の誰がどのような話しをしているかを判別不可能にするインターホンシステムを提供する。【解決手段】インターホン子機１００は、在室者の音声データを無指向性で音響出力する第１の子機スピーカ１０３と、在室者の音声データに指向性を持たせて超音波出力する第２の子機スピーカ１０４とを有し、インターホン親機２００は、子機１００の第２の子機スピーカ１０４の出力機能を能動とするための親機操作部２０１と、親機操作部２０１の操作を検出して第２の子機スピーカ１０４の出力機能を能動とするための制御信号を子機１００に送信する親機ＣＰＵ２０５とを備え、インターホン子機１００は、親機ＣＰＵ２０５からの制御信号を検出した時、第１の子機スピーカ１０３の出力機能を非能動とすると共に第２の子機スピーカ１０４の出力機能を能動とする出力制御部１０９、１１１を備える。【選択図】図１
2015046665.tif 000002
【特許請求の範囲】
【請求項１】
住戸外に設置され来訪者が住戸内の在室者を呼び出して通話を行うインターホン子機と、前記住戸内に設置され前記来訪者からの呼び出しに応答した前記在室者が通話を行うインターホン親機とを有するインターホンシステムであって、
前記インターホン子機は、前記来訪者の音声が入力され音声データを生成する子機マイクと、前記在室者の音声データを無指向性で音響出力する第１の子機スピーカと、前記在室者の音声データに指向性を持たせて超音波出力する第２の子機スピーカとを有し、
前記インターホン親機は、前記インターホン子機の前記第１、第２の子機スピーカのうち当該第２の子機スピーカからの超音波出力機能を能動とするために操作される親機操作部と、前記親機操作部の操作を検出して前記第２の子機スピーカからの超音波出力機能を能動とするための制御信号を前記インターホン子機に送信する親機ＣＰＵとを備え、
前記インターホン子機は、前記インターホン親機の前記親機ＣＰＵから送信されてくる前記制御信号を検出したとき、前記第１の子機スピーカの音響出力機能を非能動とするとともに前記第２の子機スピーカの超音波出力機能を能動とする出力制御部を備えることを特徴とするインターホンシステム。
【請求項２】
前記インターホン子機の前記出力制御部は、前記第１、第２の子機スピーカのうち少なくとも何れか一方の当該子機スピーカからの出力機能を能動とすることを特徴とする請求項１記載のインターホンシステム。
【請求項３】
前記インターホン子機は、前記来訪者の映像データを生成する撮像部を備え、
前記インターホン親機は、前記インターホン子機の前記撮像部で生成された前記映像データを出画する表示部を備え、
前記表示部は、前記インターホン子機の前記第２の子機スピーカからの超音波出力の可聴範囲内に前記来訪者が存在しているか否かを示す可聴範囲エリアを表示することを特徴とする請求項１又は請求項２記載のインターホンシステム。
【請求項４】
前記インターホン親機の前記表示部は、前記可聴範囲エリア外に前記来訪者が存在しているときに操作される前記親機操作部の操作エリアを表示することを特徴とする請求項３記載のインターホンシステム。
【発明の詳細な説明】
【技術分野】
【０００１】
本発明は、スピーカ及びマイクを有するインターホン子機と、スピーカ及びマイクを有するインターホン親機とを備え、来訪者からのインターホン子機による呼び出しに、在室者がインターホン親機で応答して通話を行うためのインターホンシステムに関する。
【背景技術】
【０００２】
従来から、玄関に設置され、来訪者が住宅内の在室者を呼び出して通話を成立させるインターホン子機と、住宅内に設置され、来訪者によるインターホン子機からの呼び出しを在室者に対して報知するとともに在室者が来訪者との間で通話を成立させるインターホン親機とを備えたインターホンシステムが開示されている（例えば、特許文献１参照）。
【０００３】
インターホン子機には、呼出スイッチ、子機マイクロホン及び子機スピーカが備えられ、インターホン親機には、通話スイッチ、親機マイクロホン及び親機スピーカが備えられ、これらインターホン子機及びインターホン親機は伝送路によって電気的に接続されている。
【０００４】
このように構成されたインターホンシステムによれば、来訪者がインターホン子機の呼出スイッチを押下すると、呼出信号がインターホン親機に伝送されるので、在室者がその呼び出しに応答するために、インターホン親機の通話スイッチを押下することで、インターホン子機とインターホン親機との間で通話路が形成される。これにより来訪者と在室者とは通話を行うことができる。この際、インターホン子機の子機スピーカからは呼出鳴動音が鳴動する。
【０００５】
また、このようなインターホンシステムは、住宅内で異常があった場合、インターホン親機がその異常を検知して、インターホン子機の子機スピーカから無指向性の警報音を出力することができる。
【先行技術文献】
【特許文献】
【０００６】
【特許文献１】特開２００３−３３３１９７号公報
【発明の概要】
【発明が解決しようとする課題】
【０００７】
しかしながら、背景技術において説明したインターホンシステムでは、玄関の住戸外側に設置されているインターホン子機でインターホン親機と通話を行う場合、当該インターホン子機の子機スピーカには無指向性スピーカが用いられているので、隣家やインターホン子機の近くにいる来訪者以外の人物に、住宅内の誰がどのような話しをしているかが判別可能になってしまい在室者のプライバシーを適切に保護することができなくなる難点があった。また、他人に会話内容を聞かれてしまうことは防犯性の観点からも好ましいことではなかった。
【０００８】
本発明は、このような従来の難点を解決するためになされたもので、隣家やインターホン子機の近くにいる来訪者以外の人物に、住宅内の誰がどのような話しをしているかを判別不可能にすることで在室者のプライバシーを適切に保護することができ、而も警報音は隣家やインターホン子機の近くにいる人物に聴取できるようにすることで防犯性を確保することができるインターホンシステムを提供することを目的する。
【課題を解決するための手段】
【０００９】
上述の目的を達成する本発明の第１の態様であるインターホンシステムは、住戸外に設置され来訪者が住戸内の在室者を呼び出して通話を行うインターホン子機と、住戸内に設置され来訪者からの呼び出しに応答した在室者が通話を行うインターホン親機とを有するインターホンシステムであって、インターホン子機は、来訪者の音声が入力され音声データを生成する子機マイクと、在室者の音声データを無指向性で音響出力する第１の子機スピーカと、在室者の音声データに指向性を持たせて超音波出力する第２の子機スピーカとを有し、インターホン親機は、インターホン子機の第１、第２の子機スピーカのうち当該第２の子機スピーカからの超音波出力機能を能動とするために操作される親機操作部と、親機操作部の操作を検出して第２の子機スピーカからの超音波出力機能を能動とするための制御信号をインターホン子機に送信する親機ＣＰＵとを備え、インターホン子機は、インターホン親機の親機ＣＰＵから送信されてくる制御信号を検出したとき、第１の子機スピーカの音響出力機能を非能動とするとともに第２の子機スピーカの超音波出力機能を能動とする出力制御部を備えるものである。
【００１０】
このような第１の態様であるインターホンシステムによれば、インターホン親機の親機操作部でインターホン子機の第２の子機スピーカからの超音波出力機能を能動させるように操作すると、親機ＣＰＵが第２の子機スピーカからの超音波出力機能を能動とするための制御信号をインターホン子機に送信するので、インターホン子機の出力制御部がその制御信号に基づき第１の子機スピーカの音響出力機能を非能動とするとともに第２の子機スピーカの超音波出力機能を能動とすることができる。したがって、在室者が子機マイクで応答した場合に、その応答音声に指向性を持たせることができるので、隣家やインターホン子機の近くにいる来訪者以外の人物に、住宅内の誰がどのような話しをしているかを判別不可能にすることができる。
【００１１】
本発明の第２の態様は第１の態様であるインターホンシステムにおいて、インターホン子機の出力制御部は、第１、第２の子機スピーカのうち少なくとも何れか一方の当該子機スピーカからの出力機能を能動とするものである。
【００１２】
このような第２の態様であるインターホンシステムによれば、インターホン子機の出力制御部は、第１、第２の子機スピーカを選択する為の制御信号を受信することで、インターホン親機から伝送される音声が指向性をもつものなのか、無指向性をもつものなのかを判断し、適切なスピーカを選択することができる。
【００１３】
本発明の第３の態様は第１の態様又は第２の態様であるインターホンシステムにおいて、インターホン子機は、来訪者の映像データを生成する撮像部を備え、インターホン親機は、インターホン子機の撮像部で生成された映像データを出画する表示部を備え、表示部は、インターホン子機の第２の子機スピーカからの超音波出力の可聴範囲内に来訪者が存在しているか否かを示す可聴範囲エリアを表示するものである。
【００１４】
このような第３の態様であるインターホンシステムによれば、この可聴範囲エリアを表示部に設定することで、来訪者が超音波の音声を聴取できるか否かを容易に判別することができる。
【００１５】
本発明の第４の態様は第３の態様であるインターホンシステムにおいて、インターホン親機の表示部は、可聴範囲エリア外に来訪者が存在しているときに操作される親機操作部の操作エリアを表示するものである。
【００１６】
このような第４の態様であるインターホンシステムによれば、画面上の操作説明に入力動作が対応するため、直感的に分かりやすく、操作が簡単になる。
【発明の効果】
【００１７】
本発明のインターホンシステムによれば、隣家やインターホン子機の近くにいる来訪者以外の人物に、住宅内の誰がどのような話しをしているかを判別不可能にすることで在室者のプライバシーを適切に保護することができ、而も警報音は隣家やインターホン子機の近くにいる人物に聴取できるようにすることで防犯性を確保することができるようになる。
【図面の簡単な説明】
【００１８】
【図１】本発明のインターホンシステムにおける好ましい実施の形態例を示す回路ブロック図である。
【図２】本発明のインターホンシステムの構成要素である表示部を示す説明図で、（Ａ）は来訪者が可聴範囲エリア内に位置する図で、（Ｂ）は来訪者が可聴範囲エリア外に位置する図である。
【発明を実施するための形態】
【００１９】
以下、本発明のインターホンシステムにおける好ましい実施の形態例について、図面を参照して説明する。図１は、本発明のインターホンシステムの回路ブロック図を示している。
【００２０】
本発明の好ましい実施の形態例であるインターホンシステムは図１に示すように、住戸外に設置され来訪者が住戸内に在室中の在室者を呼び出して通話を行うインターホン子機１００と、住戸内に設置され来訪者からの呼び出しに応答した在室者が通話を行うインターホン親機２００とを有し、呼出・通話ラインＬ１０、２線の電源・映像ラインＬ１１、Ｌ１２により構成された伝送路Ｌ１でそれぞれ接続されている。
【００２１】
インターホン親機２００は、親機操作部２０１、親機スピーカ２０２、親機マイク２０３、表示部２０４、親機ＣＰＵ２０５、呼出検出回路２０６、ＦＭ復調回路２０７、第１の親機トランス２０８、親機音声処理部２０９、超音波制御回路２１０、リレー回路２１１、第２の親機トランス２１２、リレー制御回路２１３、親機電源回路２１４、第１の子機用電源スイッチ２１５及び第２の子機用電源スイッチ２１６を備えている。
【００２２】
親機操作部２０１は、通話ボタン２０１ａ及びプライバシーボタン２０１ｂを備えている。通話ボタン２０１ａは、インターホン子機１００で来訪者からの呼び出しがあることを確認した在室者が当該来訪者との間で通話を成立させるための応答操作を行うためのものである。なお、インターホン子機１００で来訪者からの呼び出しがあることを確認するために、呼出検出回路２０６が呼出・通話ラインＬ１０と親機ＣＰＵ２０５とに接続されている。プライバシーボタン２０１ｂは、後述するインターホン子機１００の第１の子機スピーカ１０３及び第２の子機スピーカ１０４のうち当該第２の子機スピーカ１０４からの超音波出力機能を能動とするために操作されるものである。これら通話ボタン２０１ａ及びプライバシーボタン２０１ｂは、それぞれ親機ＣＰＵ２０５に接続されている。
【００２３】
親機スピーカ２０２及び親機マイク２０３は、在室者が来訪者との間で通話を成立させるための音声（送話音声、受話音声）を入出力するものである。親機スピーカ２０２は、来訪者の音声データを無指向性で音響出力するものであり、一般的な無指向性のラウドスピーカが使用されている。
【００２４】
これら親機スピーカ２０２及び親機マイク２０３は、それぞれ親機音声処理部２０９に接続されている。親機音声処理部２０９は、インターホン子機１００と拡声状態で通話する際に送話音の信号レベルと受話音の信号レベルとを比較して、送話状態若しくは受話状態を切り替える機能を有している。このような親機音声処理部２０９としてはボイススイッチが好適である。
【００２５】
この親機音声処理部２０９にはリレー回路２１１が接続され、このリレー回路２１１には２線の電源・映像ラインＬ１１、Ｌ１２に接続されている第２の親機トランス２１２が接続される。この第２の親機トランス２１２は、リレー回路２１１から呼出・通話ラインＬ１０に伝送される各種音声信号を不平衡−平衡変換するためのものである。また、このリレー回路２１１は親機ＣＰＵ２０５に接続されているリレー制御回路２１３によって制御される。このようなリレー回路２１１はブレーク接点に親機マイク２０３に接続される親機音声処理部２０９の出力端子が接続され、この出力端子はさらに超音波制御回路２１０の入力端子に接続されている。また、リレー回路２１１のメーク接点は超音波制御回路２１０の出力端子に接続され、超音波制御回路２１０は親機ＣＰＵ２０５に接続されている。なお、親機音声処理部２０９の入力端子は呼出・通話ラインＬ１０に接続されている。
【００２６】
したがって、親機操作部２０１のプライバシーボタン２０１ｂをＯＮ操作すると、リレー制御回路２１３に親機ＣＰＵ２０５からリレー切替信号が伝送されるので、リレー制御回路２１３はリレー回路２１１を制御してメーク接点と第２の親機トランス２１２とを接続状態にすることができる。なお、プライバシーボタン２０１ｂをＯＦＦ操作することで、親機ＣＰＵ２０５からリレー切替信号が伝送されなくなるので、リレー制御回路２１３はリレー回路２１１を制御してブレーク接点と第２の親機トランス２１２とを接続状態に戻すことができる。
【００２７】
表示部２０４は、後述するインターホン子機１００の撮像部１０２で生成された映像データを出画するためのものであり、例えば、ＬＣＤ、ＰＤＰ、有機ＥＬディスプレイ等の各種出画表示媒体を使用される。
【００２８】
このような表示部２０４は図２（Ａ）に示すように、インターホン子機１００の第２の子機スピーカ１０４からの超音波出力の可聴範囲内に来訪者が存在しているか否かを示す可聴範囲エリアＡ１を表示する。即ち、表示部２０４にラインＬＮを描くことにより可聴範囲エリアＡ１を当該表示部２０４上で区画することができる。この可聴範囲エリアＡ１を表示部２０４に設定することで、来訪者が超音波の音声を聴取できるか否かを容易に判別することができる。なお、人の超音波の可聴域は個人差があるので、ほとんどの人が可聴できる可聴域を設定しておくとよい。
【００２９】
また、表示部２０４は図２（Ｂ）に示すように、可聴範囲エリアＡ１外に来訪者が存在しているときに操作される親機操作部２０１の操作エリアを表示できるようにしてもよい。例えば、表示部２０４に通話ボタン２０１ａ及びプライバシーボタン２０１ｂの機能を有するアイコンをタッチパネル式として設けてもよい。これにより、画面上の操作説明に入力動作が対応するため、直感的に分かりやすく、操作が簡単になる。
【００３０】
この表示部２０４はＦＭ復調回路２０７に接続され、ＦＭ復調回路２０７は親機ＣＰＵ２０５に接続されて当該親機ＣＰＵ２０５で制御される。また、このＦＭ復調回路２０７は２線の電源・映像ラインＬ１１、Ｌ１２に接続されている第１の親機トランス２０８に接続される。第１の親機トランス２０８は、インターホン子機１００から２線の電源・映像ラインＬ１１、Ｌ１２を介して伝送されてくるＦＭ変調信号を平衡−不平衡変換するためのものであり、ＦＭ復調回路２０７は、このＦＭ変調信号を復調して表示部２０４に、インターホン子機１００の撮像部１０２にて撮像された映像を表示させるものである。
【００３１】
親機ＣＰＵ２０５は、親機操作部２０１のプライバシーボタン２０１ｂの操作を検出してインターホン子機１００の第２の子機スピーカ１０４からの超音波出力機能を能動とするための制御信号を当該インターホン子機１００に送信する機能を有している。
【００３２】
親機電源回路２１４は、親機ＣＰＵ２０５により制御され、インターホン親機２００の商用電源について整流・平滑させた親機電源を生成し、当該インターホン親機２００の構成各部／回路にそれぞれ供給するとともに、インターホン子機１００の子機電源を生成するためのものである。
【００３３】
第１の子機用電源スイッチ２１５は、親機ＣＰＵ２０５から出力される子機電源供給信号により２本の電源・映像ラインＬ１１、Ｌ１２に電源を供給するもので、第２の子機用電源スイッチ２１６は、親機ＣＰＵ２０５から出力されるパルス信号により呼出・通話ラインＬ１０の電源を瞬断させるものである。この親機ＣＰＵ２０５から出力されるパルス信号は、親機操作部２０１のプライバシーボタン２０１ｂの操作を検出してインターホン子機１００の第２の子機スピーカ１０４からの超音波出力機能を能動とするための制御信号となる。
【００３４】
インターホン子機１００は、子機操作部１０１、撮像部１０２、第１の子機スピーカ１０３、第２の子機スピーカ１０４、子機マイク１０５、ＦＭ変調回路１０６、第１の子機トランス１０７、子機音声処理部１０８、リレー回路１０９、第２の子機トランス１１０、リレー制御回路１１１、ラッチ回路１１２及び子機電源回路１１３を備えている。
【００３５】
子機操作部１０１は、当該インターホン子機１００が玄関に設置されている場合、玄関にいる人物、例えば、来訪者が、住戸に在室中の在室者を呼び出すために操作する呼出ボタン（図示せず。）を有し、呼出・通話ラインＬ１０に接続されている。
【００３６】
撮像部１０２は、来訪者が子機操作部１０１の呼出ボタンで呼出操作を行った来訪者の映像や玄関の周囲近傍の映像等を撮像するためのもので、ＣＣＤ、ＣＭＯＳ等の各種の撮像媒体から成るカメラ（図示せず。）と、カメラにて撮像された映像について信号処理を行い、電気信号の映像信号を生成する映像信号生成回路（図示せず。）とを備えている。このカメラ装置は当該カメラ装置の映像信号をＦＭ変調するＦＭ変調回路１０６に接続され、ＦＭ変調回路１０６は第１の子機トランス１０７を介して２線の電源・映像ラインＬ１１、Ｌ１２に接続されている。この第１の子機トランス１０７は、インターホン親機２００から２線の電源・映像ラインＬ１１、Ｌ１２に送出される各種信号を平衡−不平衡変換するとともに、撮像部１０２で撮像された映像信号がＦＭ変調回路１０６で変調され２線の電源・映像ラインＬ１１、Ｌ１２に送出されるＦＭ変調信号を不平衡−平衡変換するためのものである。
【００３７】
第１の子機スピーカ１０３、第２の子機スピーカ１０４及び子機マイク１０５は、来訪者が在室者との間で通話を成立させるための音声（送話音声、受話音声）を入出力するものである。第１の子機スピーカ１０３は、在室者の音声データを無指向性で音響出力するものであり、一般的な無指向性のラウドスピーカが使用され、第２の子機スピーカ１０４は、在室者の音声データに指向性を持たせて超音波出力するものであり、超指向性スピーカが使用されている。子機マイク１０５は来訪者の音声が入力され音声データを生成するものである。
【００３８】
超指向性スピーカには電気信号を対応する音響信号に変換する際、高い変換効率に加えて指向性が極めて良好な伝送特性を有する超音波トランスデューサを用いることが好適である。超音波トランスデューサには、薄膜が電界の容量効果によって振動することにより音響信号が生成される静電性結晶デバイスと、印加された電位によってピエゾセラミック材料の形状が変化することにより音響信号が生成される圧電性結晶デバイスとがある。このような超音波トランスデューサは、１つに限らず、同一面状に複数個並べた超音波トランスデューサアレイでもよい。
【００３９】
この第１の子機スピーカ１０３、第２の子機スピーカ１０４及び子機マイク１０５は、子機音声処理部１０８にそれぞれ接続され、この子機音声処理部１０８にはリレー回路１０９が接続され、このリレー回路に１０９は呼出・通話ラインＬ１０に接続されている第２の子機トランス１１０が接続される。このようなリレー回路１０９はブレーク接点に子機音声処理部１０８を介して第１の子機スピーカ１０３が接続され、メーク接点に子機音声処理部１０８を介して第２の子機スピーカ１０４が接続されている。
【００４０】
なお、子機音声処理部１０８は、リレー回路１０９が第２の子機スピーカ１０４に接続するにあたり、超音波の音声信号をバッファ回路及びコイルを介して第２の子機スピーカ１０４に伝送させている。これにより、バッファ回路により来訪者が心地よく聴取できる可聴音に応じて変調された超音波信号に基づき超音波を第２の子機スピーカ１０４で空中に放射することができる。また、第２の子機スピーカ１０４とバッファ回路との間に位置するコイルは、第２の子機スピーカ１０４である超音波トランスデューサの容量成分と共振周波数を調整する役目を有している。なお、このコイルは、超音波トランスデューサの数により容量が変化するので、同時にインダクタンス値も調整しなければならない。
【００４１】
また、リレー回路１０９はリレー制御回路１１１によって制御され、このリレー制御回路１１１はラッチ回路１１２を介して呼出・通話ラインＬ１０に接続されている。なお、ラッチ回路１１２はラッチ信号の立ち上がりや立ち下りを条件として動作するトリガーラッチが好ましいが、レベルラッチでも適用可能である。したがって、ラッチ回路１１２がインターホン親機２００の親機ＣＰＵ２０５の制御によって送信されてくるラッチ信号である制御信号を検出したとき、当該ラッチ回路１１２はリレー制御回路１１１を制御することで、当該リレー制御回路１１１がリレー回路１０９で第１の子機スピーカ１０３の音響出力機能を非能動とするとともに第２の子機スピーカ１０４の超音波出力機能を能動とすることができる。これらリレー制御回路１１１及びリレー回路１０９が出力制御部となる。このようなリレー回路１０９はブレーク接点に子機音声処理部１０８の第１の子機スピーカ１０３に接続される入力端子が接続されている。また、リレー回路１０９のメーク接点は子機音声処理部１０８の第２の子機スピーカ１０４に接続される入力端子が接続されている。なお、子機マイク１０５に接続される子機音声処理部１０８の出力端子は呼出・通話ラインＬ１０に接続されている。
【００４２】
第２の子機トランス１１０は、インターホン親機２００から呼出通話ラインＬ１０に伝送される音声信号を平衡−不平衡変換するためのものである。また、子機マイク１０５で受話されて生成された音声信号は子機音声処理部１０８のアンプ（図示せず。）を介して呼出・通話ラインＬ１０に伝送される。
【００４３】
子機電源回路１１３は２線の電源・映像ラインＬ１１、Ｌ１２に接続され、当該２線の電源・映像ラインＬ１１、Ｌ１２を経由してインターホン親機２００から供給されてくる子機電源を、インターホン子機１００の構成各部／回路にそれぞれ供給するためのものである。
【００４４】
このように構成されたインターホンシステム１の具体的な動作について、以下、説明する。なお、２線の電源・映像ラインＬ１１、Ｌ１２はＦＭ変調方式、呼出・通話ラインはベースバンド方式になっている。２線の電源・映像ラインＬ１１、Ｌ１２がＦＭ変調方式を使用しているのは、インターホン親機２００の表示部２０４でインターホン子機１００の撮像部１０２で生成された映像データを出画する際に、画像の乱れ等を防止するためである。
【００４５】
図１に示すインターホンシステム１のインターホン親機２００の電源（図示せず。）を投入すると、当該インターホン親機２００の親機電源回路２１４が駆動して当該インターホン親機２００の構成各部／回路に電源をそれぞれ供給する。さらに、親機ＣＰＵ２０５が、第１の子機用電源スイッチ２１５及び第２の子機用電源スイッチ２１６に子機電源供給信号を出力することにより、２本の電源・映像ラインＬ１１、Ｌ１２のラインＬ１１、呼出・通話ラインＬ１０間に電源を供給することでインターホン子機１００へ電源を投入する。これにより、インターホン子機１００のＬＥＤ等から成る表示灯（図示せず。）が点灯して待受モードとなるので、来訪者はインターホン子機１００が使用状態になっていることを確認できる。
【００４６】
このようにインターホン子機１００が使用状態になっているときに、来訪者が当該インターホン子機１００の子機操作部１０１の呼出ボタンで呼出操作すると、２線の電源・映像ラインＬ１１、Ｌ１２の電源ラインＬ１１と呼出・通話ラインＬ１０との２線間の電圧が、インターホン親機２００の呼出検出回路２０６で予め設定された閾値以下になる。これにより、呼出検出回路２０６は親機ＣＰＵ２０５に呼出検出信号を送出するので、親機ＣＰＵ２０５はこの呼出検出信号に基づき呼出スピーカ（図示せず。）を鳴動させるとともに、インターホン親機２００は被呼出モードになる。即ち、インターホン親機２００の親機音声処理部２０９、親機スピーカ２０２及び親機マイク２０３と、インターホン子機１００の子機音声処理部１０８、第１、第２の子機スピーカ１０３、１０４及び子機マイク１０５とにより双方向通話が可能となっている。なお、このインターホン子機１００からの呼び出しを親機スピーカ２０２から鳴動させるように親機ＣＰＵ２０５で親機音声処理部２０９を制御するようにしてもよい。所謂、拡声通話である。
【００４７】
在室者が、呼出スピーカが鳴動したことを聴取して、親機操作部２０１の通話ボタン２０１ａを通話操作すると、親機ＣＰＵ２０５は親機音声処理部２０９を駆動するとともに、第１の子機用電源スイッチ２１５をＯＮさせるので、インターホン子機１００の子機電源回路１１３に２線の電源・映像ラインＬ１１、Ｌ１２を介して電源を供給して、当該インターホン子機１００の構成各部／回路を駆動する。これにより、撮像部１０２で撮像され生成された来訪者の映像データはＦＭ変調回路１０６でＦＭ変調され、このＦＭ変調信号が第１の子機トランス１０７から２線の電源・映像ラインＬ１１、Ｌ１２に伝送され、インターホン親機２００の第１の親機トランス２０８を介してＦＭ復調回路２０７に伝送されるので、ＦＭ復調回路２０７でＦＭ復調された映像データは表示部２０４に表示される。
【００４８】
この際、表示部２０４に表示された来訪者が第２の子機スピーカ１０４からの超音波出力の可聴範囲エリアＡ１内に存在している場合において、在室者が隣家やインターホン子機１００の近くにいる来訪者以外の人物にどのような話をしているかを判別不可能にしたい場合には、親機操作部２０１のプライバシーボタン２０１ｂをＯＮ操作する。プライバシーボタン２０１ｂがＯＮ操作されると、親機ＣＰＵ２０５はリレー制御回路２１３にリレー切替信号を伝送するので、リレー制御回路２１３はリレー回路２１１を制御してメーク接点と第２の親機トランス２１２とを接続状態にすることができる。これにより、在室者が親機マイク２０３で応答した音声が音声データに生成されて親機音声処理部２０９を介して超音波制御回路２１０に伝送されているので、音声データが超音波振動の出力の電気信号に変換されてリレー回路２１１及び第２の親機トランス２１２を介して呼出・通話ラインＬ１０に伝送される。
【００４９】
また、プライバシーボタンがＯＮ操作されていることから、第２の子機用電源スイッチ２１６に親機ＣＰＵ２０５からの制御信号となるパルス信号、例えば２．５ｍｓのパルス信号が入力されることで、電源を同じく２．５ｍｓで瞬断することができるので、呼出・通話ラインＬ１０を介してその電源の瞬断に基づきインターホン子機１００のラッチ回路１１２はラッチ信号をリレー制御回路１１１に出力する。リレー制御回路１１１はラッチ信号に基づきリレー回路１０９を、子機音声処理部１０８を介して第２の子機スピーカ１０４に接続する。したがって、インターホン親機２００からの音声データの超音波振動の出力の電気信号を第２の子機スピーカ１０４から超音波振動の音声として出力することができる。このように、第２の子機スピーカ１０４から出力させる音声に指向性を持たせることができるので、隣家やインターホン子機の近くにいる来訪者以外の人物に、住宅内の誰がどのような話しをしているかを判別不可能にすることで在室者のプライバシーを適切に保護することができる。
【００５０】
なお、インターホン親機２００の表示部２０４に表示された来訪者が第２の子機スピーカ１０４からの超音波出力の可聴範囲エリアＡ１外に存在している場合には、プライバシーボタン２０１ｂをＯＮ操作しないので、リレー回路１０９はブレーク接点と第２の親機トランス１１０とが接続状態のままである。
【００５１】
また、プライバシーボタンがＯＮ操作されていないことから、第２の子機用電源スイッチ２１６に親機ＣＰＵ２０５からのパルス信号が出力されないので、インターホン子機１００のリレー回路１０９は第２のトランス１１０と第１の子機スピーカ１０３とを接続状態のまま維持している。したがって、インターホン親機２００からの音声データの電気信号を第１の子機スピーカ１０３から出力することができる。このように、第１の子機スピーカ１０３から音声を出力させることができることから、第１の子機スピーカ１０３から出力される音声は無指向性になるので、来訪者が第２の子機スピーカ１０４からの超音波出力の可聴範囲エリアＡ１外に存在していても在室者の音声を聴取することができる。
【００５２】
上述のように、プライバシーボタンのＯＮ、ＯＦＦ操作に拘らず、在室者が親機マイク２０３で応答した音声が音声データに生成されて親機音声処理部２０９、リレー回路２１１及び第２の親機トランス２１２を介して呼出・通話ラインＬ１０に伝送される。
【００５３】
なお、プライバシーボタン２０１ｂのＯＮ操作状態を解除するには、ＯＦＦ操作すればよい。例えば、インターホンシステムの各リレー回路１０９、２１１が復帰状態において、プライバシーボタン２０１ｂを最初に押圧した場合はＯＮ操作、次に押圧した場合はＯＦＦ操作と親機ＣＰＵ２０５に認識させる。その後は、プライバシーボタンのＯＮ操作時と同様に、例えば２．５ｍｓのパルス信号でラッチ回路１１２からのラッチ信号出力を停止する。
【００５４】
また、上述した実施例においては、超音波出力の第２の子機スピーカ１０４はインターホン子機１００に組み込まれていたが、これに限らず、インターホン子機１００を操作可能な箇所に位置する来訪者に対して、聴取可能な超音波振動の音声の指向性を持たせることができれば、第２の子機スピーカ１０４の設置位置は建物の軒下等でもよく、この場合、当該第２の子機スピーカ１０４はインターホン子機１００あるいはインターホン親機２００とライン接続したり、あるいは無線接続したりするとよい。このように設置することが可能なのでハウリングを起こすような限定された設置場所においても、使用可能となる。
【００５５】
また、インターホン子機１００の出力制御部１０９、１１１は、第１、第２の子機スピーカ１０３、１０４のうち少なくとも何れか一方の当該子機スピーカからの出力機能を能動とする機能を有するようにしてもよい。即ち、上述のようにインターホン親機２００のプライバシーボタン２０１ｂでインターホン子機１００の第２の子機スピーカ１０４を選択している場合においても、親機操作部２０１に子機スピーカ選択ボタン（図示せず。）を設けて、第１の子機スピーカ１０３の音響出力機能を能動するようにしてもよい。具体的には、子機スピーカ選択ボタンで第１の子機スピーカ１０３を選択すると、親機ＣＰＵ２０５がリレー制御回路２１３を介してリレー回路２１１のブレーク接点と第２の親機トランス２１２とを接続状態にする。したがって、在室者が親機マイク２０３で応答した音声が音声データに生成されて親機音声処理部２０９、リレー回路２１１及び第２の親機トランス２１２を介して呼出・通話ラインＬ１０に伝送される。
【００５６】
このようにインターホン子機１００の出力制御部１０９、１１１は、第１、第２の子機スピーカ１０３、１０４を選択する為の制御信号を受信することで、インターホン親機２００から伝送される音声が指向性をもつものなのか、無指向性をもつものなのかを判断し、適切なスピーカを選択することができる。
【００５７】
さらに、子機スピーカ選択ボタンで第１の子機スピーカ１０３を選択すると、第２の子機用電源スイッチ２１６に親機ＣＰＵ２０５からのパルス信号が出力されないので、インターホン子機１００のリレー回路１０９は第２のトランス１１０と第１の子機スピーカ１０３とを接続状態のまま維持している。したがって、インターホン親機２００からの音声データの電気信号を第１の子機スピーカ１０３から出力することができるようになる。
【００５８】
なお、このようなインターホンシステム１は、インターホン親機２００のプライバシーボタン２０１ｂをＯＮ操作しない限りはインターホン子機１００の第１のスピーカ１０３が選択されていることから、ガス漏れ等の警報音は無指向性の第１のスピーカ１０３から出力されるので、この警報音は隣家やインターホン子機１００の近くにいる人物に聴取できるようにすることで防犯性を確保することができる。
【００５９】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００６０】
１……インターホンシステム
１００……インターホン子機
１０２……撮像部
１０３……第１の子機スピーカ
１０４……第２の子機スピーカ
１０５……子機マイク
１０９……リレー回路（出力制御部）
１１１……リレー制御回路（出力制御部）
２００……インターホン親機
２０１……親機操作部
２０５……親機ＣＰＵ
Ａ１……可聴範囲エリア
【図１】
2015046665.tif 000003
【図２】
2015046665.tif 000004